(57)【要約】【課題】軸受箱の内部で発生するオイルベーパーおよび油滴を防止し、外形を増加することなくかつ油漏れを防ぐことができる横軸型すべり軸受装置を提供する。【解決手段】強制給油装置に接続された軸受箱と、前記強制給油装置から供給された潤滑油で軸受が潤滑される横軸型すべり軸受装置において、前記軸受の排油穴から残留油までを誘導管で接続したことを特徴とする。  請求項１によれば、軸受箱の内部で発生するオイルベーパーおよび油滴を防止し、外形を増加することなく、容易な組立により油漏れを防ぐことのできる横軸型すべり軸受装置を提供することができる。【選択図】図１
2007327512.tif 000002
【特許請求の範囲】
【請求項１】
強制給油装置に接続された軸受箱と、前記強制給油装置から供給された潤滑油で軸受が潤滑される横軸型すべり軸受装置において、前記軸受箱内の前記軸受の排油穴に排油誘導管を設けたことを特徴とする横軸型すべり軸受装置。
【請求項２】
請求項１記載の横軸型すべり軸受装置において、前記軸受の排油穴から残留油までをカバーで覆ったことを特徴とする横軸型すべり軸受装置。
【発明の詳細な説明】
【技術分野】
【０００１】
本発明は、横軸型すべり軸受装置に係り、特に、強制給油装置から供給された潤滑油で軸受が潤滑される横軸型すべり軸受装置に関する。
【背景技術】
【０００２】
従来の横軸型すべり軸受装置を図６及び図７を参照して説明する。  
図６は従来のすべり軸受の正面断面図、図７は図６のIV−IV線に沿う側面矢視断面図である。なお、強制給油装置は省略してある。
【０００３】
図６および図７に示すように、従来の横軸型すべり軸受装置は、軸受箱１に支えられたすべり軸受２には、軸受箱１を貫通した軸３との間に潤滑油を供給して油膜を形成するために、給油穴２ａが縦に貫設されている。この給油穴２ａは軸受箱１に貫設された給油穴１ａに接続されており、この給油穴１ａは、図示しない強制給油装置から延長された給油管４に接続されている。また、すべり軸受２には、排油穴２ｂが縦に貫設されている。潤滑油は排油穴２ｂから排出されて排油５となり、軸受箱１の底部に残留して残留油６となる。
【０００４】
軸受箱１の底部には排油管７が接続され、この排油管７は図示しない強制給油装置の排油系統へ接続され、残留油６を図示しない強制給油装置に排油している。また、軸受箱１の軸３が貫通する個所には、軸受箱１の内部に発生したオイルベーパーおよび油滴８が軸受箱１の外部へ漏れるのを防ぐための油切９，１０が設置されている（特許文献１参照）。
【特許文献１】特開平７−１２３６２７号公報
【発明の開示】
【発明が解決しようとする課題】
【０００５】
しかしながら、上記構成の従来の横軸型すべり軸受装置では、排油５の一部は軸受２に設けられた排油穴２ｂから排出される時、排油穴２ｂの出口で噴出状態となるため、オイルベーパーおよび油滴８となって飛散する。更に排油５が残留油６の表面に滴下する時、飛散してオイルベーパーおよび油滴８を発生する。このようなオイルベーパーおよび油滴８が軸受箱１の外部へ漏れるのを防ぐための油切９，１０が設置されているため、軸受箱１の軸方向長さが長くなり、軸受箱１の外形が増加するという欠点がある。  
更に油切９，１０は軸１と微小な隙間を保持するよう軸受箱１に設置する必要があり組立時の調整に時間がかかるという欠点がある。
【０００６】
本発明は、上記事情に鑑みてなされたもので、その課題は、軸受箱の内部で発生するオイルベーパーおよび油滴を防止し、かつ外形を増加することない油漏れを防ぐことのできる横軸型すべり軸受装置を提供することにある。
【課題を解決するための手段】
【０００７】
上記目的を達成するために、請求項１記載の発明は、強制給油装置に接続された軸受箱と、前記強制給油装置から供給された潤滑油で軸受が潤滑される横軸型すべり軸受装置において、前記軸受箱内の前記軸受の排油穴に排油を誘導管で接続したことを特徴とする。
【０００８】
請求項２記載の発明は、強制給油装置に接続された軸受箱と、この強制給油装置から供給された潤滑油で軸受が潤滑される横軸型すべり軸受装置において、前記軸受の排油穴から残留油までをカバーで覆ったことを特徴とする。
【発明の効果】
【０００９】
本発明によれば、軸受箱の内部で発生するオイルベーパーおよび油滴を防止し、外形を増加することなく、しかも組立も容易な横軸型すべり軸受装置を提供することができる。
【発明を実施するための最良の形態】
【００１０】
以下、本発明の最良の実施形態を図を参照して説明する。  
図１は本発明の第１実施形態である横軸型すべり軸受装置の正面断面図であり、図２は図１のＩ−Ｉ線に沿う側面矢視断面図、図３は図２のII−II線に沿う要部矢視断面図で誘導管１１の断面形状の一例を示す図である。なお、図６および図７と同一部分には同一符号を付してその説明は省略する。
【００１１】
本実施形態の横軸型すべり軸受装置が、図６及び図７で示す従来例の横軸型すべり軸受装置と相違する構成は、軸受箱内の軸受の排油穴２ｂから残留油６までを排油誘導管１１で接続した点であり、その他の構成は同一であるので、同一構成部分には同一符号を付して説明する。
【００１２】
次に、本実施形態の作用について説明する。  
給油管４から給油された潤滑油は、軸受箱１の給油穴１ａおよび軸受２の給油穴２ａを通り、軸３の回転によって軸３の上半部を回り、一部は軸３の下半へ供給されて油膜を形成し、残りは軸受２の排油穴２ｂより排油５となって排出される。排油５は軸３の回転によって加圧されるため、排油穴２ｂの出口において噴出状態となり、オイルベーパーおよび油滴８を飛散し、また排油５が残留油６の表面に衝突した際同様にオイルベーパーおよび油滴８を飛散する。
【００１３】
しかしながら、排油穴２ｂと残留油６の表面までの間は排油誘導管１１で接続されているため、飛散したオイルベーパーおよび油滴８は軸受箱１の内部に拡散および付着することなく、残留油６となって排油管７より排出される。
【００１４】
従って本実施形態においては、軸受箱の内部でのオイルベーパーおよび油滴の発生を防止し、外形を増加することなく、しかも組立も容易な横軸型すべり軸受装置を提供することができる。
【００１５】
図４は本発明の第２の実施形態である横軸型すべり軸受装置の側面断面図、図５は図４のIII−III線に沿う要部矢視断面図でカバー１２の断面形状の一例を示す図である。  
本実施形態が図７の従来例と相違する構成は、軸受箱内の軸受の排油穴２ｂから残留油６までをカバー１２で覆った点であり、その他の構成は同一であるので、同一構成部分には同一符号を付して説明する。
【００１６】
次に、本実施形態の作用について説明する。  
給油管４から給油された潤滑油は、軸受１の給油穴１ａおよび軸受２の給油穴２ａを通り、軸１の回転によって軸１の上半部を回り、一部は軸１の下半部へ供給されて油膜を形成し、残りは軸受２の排油穴２ｂより排油５となって排出される。排油５は軸１の回転によって加圧されるため、排油穴２ｂの出口において噴出状態となり、オイルベーパーおよび油滴８を飛散し、また排油５が残留油６の表面に衝突した際同様にオイルベーパーおよび油滴８を飛散する。
【００１７】
しかしながら、排油穴２ｂと残留油６の表面までの間はカバー１２で覆われているため、飛散したオイルベーパーおよび油滴８は軸受箱１の内部に拡散および付着することなく、残留油６となって排油管７より排出される。なお、本実施形態のカバーは第１実施形態に較べて、組立も容易で費用も安いという利点がある。
【００１８】
従って本実施形態においては、軸受箱の内部でのオイルベーパーおよび油滴の発生を防止し、外形を増加することなく、しかも組立も容易な経済的な横軸型すべり軸受装置を提供することができる。
【図面の簡単な説明】
【００１９】
【図１】本発明の第１の実施形態である横軸型すべり軸受装置の正面断面図。
【図２】図１のＩ−Ｉ線に沿う側面矢視断面図。
【図３】図２のII−II線に沿う要部矢視断面図。
【図４】本発明の第２の実施形態である横軸型すべり軸受装置の側面断面図。
【図５】図４のIII−III線に沿う要部矢視断面図。
【図６】従来の横軸型すべり軸受装置の正面断面図。
【図７】図６のIV−IV線に沿う側面矢視断面図。
【符号の説明】
【００２０】
１…軸受箱、１ａ…軸受箱給油穴、２…軸受、２ａ…軸受給油穴、２ｂ…軸受排油穴、３…軸、４…給油管、５…排油、６…残留油、７…排油管、８…オイルベーパーおよび油滴、９…油切（軸受箱外側）、１０…油切、１１…排油誘導管、１２…カバー。
【図１】
2007327512.tif 000003
【図２】
2007327512.tif 000004
【図３】
2007327512.tif 000005
【図４】
2007327512.tif 000006
【図５】
2007327512.tif 000007
【図６】
2007327512.tif 000008
【図７】
2007327512.tif 000009